(57)【特許請求の範囲】
【請求項１】
画像出力前に出力画像の状態を示すプレビュー画像を生成するための所定の画像処理を指定する画像処理指定手段と、
前記画像処理指定手段により指定された画像処理にしたがってプレビュー画像を生成するプレビュー画像生成手段と、
前記プレビュー画像生成手段で生成されたプレビュー画像を表示するプレビュー画像表示手段と、
前記プレビュー画像を表示する際に、前記画像処理の内容に応じて、省電力時の表示状態に対して視認性を向上させた表示モードに切り替える表示モード切替制御手段と、
を備えることを特徴とする画像処理装置。
【請求項２】
画像出力前に出力画像の状態を示すプレビュー画像を生成するためのそれぞれ異なる複数の画像処理を指定する画像処理指定手段と、
前記画像処理指定手段により指定された画像処理にしたがってプレビュー画像を生成するプレビュー画像生成手段と、
前記画像処理指定手段の第１の指定により、第１の画像処理が施された出力画像の第１のプレビュー画像と、前記第１の指定とは異なる第２の指定により、第２の画像処理が施された出力画像の第２のプレビュー画像とを並べて表示するプレビュー画像表示手段と、
前記第１、第２のプレビュー画像を並べて表示する際に、前記第１、第２の画像処理のうち、異なる画像処理の内容に応じて、省電力時の表示状態に対して視認性を向上させた表示モードに切り替える表示モード切替制御手段と、
を備えることを特徴とする画像処理装置。
【請求項３】
前記表示モード切替制御手段は、
前記指定された画像処理の内容を管理する管理手段と、
前記視認性向上の表示モードで表示する画像処理の内容を登録した登録手段と、
前記指定された画像処理の内容が、前記登録手段に登録された画像処理の内容であるか否かを判定する判定手段と、
を備えることを特徴とする請求項１または２に記載の画像処理装置。
【請求項４】
前記管理手段は、前記指定された複数の画像処理の内容からなる第１の画像処理と、前記指定された複数の画像処理の内容からなる第２の画像処理とを管理し、前記判定手段は、前記第１の画像処理と第２の画像処理とを比較して異なる画像処理の内容を抽出し、前記異なる画像処理の内容が前記登録手段に登録された画像処理の内容であるか否かを判定することを特徴とする請求項３に記載の画像処理装置。
【請求項５】
前記表示モード切替制御手段は、前記画像処理の内容が画質調整処理であるとき、視認性向上の表示モードに切り替えることを特徴とする請求項１、２または３に記載の画像処理装置。
【請求項６】
前記表示モード切替制御手段は、前記画像処理の内容がカラーモード処理であるとき、視認性向上の表示モードに切り替えることを特徴とする請求項１、２または３に記載の画像処理装置。
【請求項７】
前記表示モード切替制御手段は、前記異なる画像処理の内容が編集処理と後処理であるとき、前記第２のプレビュー画像の内、前記編集処理と後処理が実施された画像領域を、視認性向上の表示モードに切り替えることを特徴とする請求項２に記載の画像処理装置。
【請求項８】
前記プレビュー画像を表示させた後、拡大／縮小、移動を指示する指示手段を備え、前記表示モード切替制御手段は、前記拡大／縮小、移動を指示されたとき、視認性向上の表示モードに切り替えることを特徴とする請求項１または２に記載の画像処理装置。
【請求項９】
前記出力画像に対してＯＣＲ処理するＯＣＲ処理手段を備え、前記プレビュー画像と前記ＯＣＲ処理した処理結果を並べて表示する際に、前記表示モード切替制御手段は前記省電力の表示モードで表示することを特徴とする請求項１または２に記載の画像処理装置。
【請求項１０】
前記出力画像がセキュリティ文書であるか否かを設定する設定手段を備え、前記出力画像がセキュリティ文書であるとき、前記表示モード切替制御手段は、前記セキュリティ文書のプレビュー画像を前記省電力の表示モードで表示することを特徴とする請求項１または２に記載の画像処理装置。
【請求項１１】
画像出力前に出力画像の状態を示すプレビュー画像を生成するための所定の画像処理を指定する画像処理指定工程と、
前記画像処理指定工程により指定された画像処理にしたがってプレビュー画像を生成するプレビュー画像生成工程と、
前記プレビュー画像生成工程で生成されたプレビュー画像を表示するプレビュー画像表示工程と、
前記プレビュー画像を表示する際に、前記画像処理の内容に応じて、省電力時の表示状態に対して視認性を向上させた表示モードに切り替える表示モード切替制御工程と、
を含むことを特徴とする画像処理方法。
【請求項１２】
画像出力前に出力画像の状態を示すプレビュー画像を生成するための所定の画像処理を指定する画像処理指定ステップと、
前記画像処理指定ステップにより指定された画像処理にしたがってプレビュー画像を生成するプレビュー画像生成ステップと、
前記プレビュー画像生成ステップで生成されたプレビュー画像を表示するプレビュー画像表示ステップと、
前記プレビュー画像を表示する際に、前記画像処理の内容に応じて、省電力時の表示状態に対して視認性を向上させた表示モードに切り替える表示モード切替制御ステップと、
をコンピュータに実行させるためのプログラム。
【発明の詳細な説明】
【技術分野】
【０００１】
本発明は、操作表示部の消費電力を削減した画像処理装置、画像処理方法、およびプログラムに関する。
【背景技術】
【０００２】
ＭＦＰ（複合機：Ｍｕｌｔｉ  Ｆｕｎｃｔｉｏｎ  Ｐｒｉｎｔｅｒ））で画像を出力する際に、操作表示部の画面に出力結果のイメージを表示して事前に確認できるプレビュー機能がある。ユーザーが事前に確認する例として、画質（濃度、鮮鋭性、色味等）、編集（とじしろ、集約等）、後処理（ステープル位置、パンチ穴位置等）などが挙げられる。
【０００３】
低消費電力化されたＭＦＰにおいては、ユーザーがＭＦＰを使用しない待機状態ではスリープモードに移行し、電力消費が多いユニットの１つである操作表示部を消灯／停止させることで消費電力を削減し、またユーザーからの指示（コピーボタンの押下、ネットワークからのプリント命令等）により、待機状態から点灯／復帰し、通常の動作モードに移行する。
【０００４】
消費電力の削減対象である操作表示部は、通常動作においても表示方法（輝度等）を切り替えることにより、消費電力を削減できる。しかし、消費電力の削減により表示部の視認性の確保が困難になるため、ユーザーが使用環境に応じて、その都度、操作表示部全体を一律に調整（明るさ調整）している。このため、ユーザーの視認性を維持しながら、通常動作においても輝度等の表示方法を切り替えて消費電力を効率的に削減できないという問題があった。
【０００５】
たとえば、特許文献１では、画像表示ユニットが二段階の輝度制御手段を有し、通常の使用時には、画像表示ユニットが低輝度の低消費電力のモードで動作し、撮影準備動作であるシャッタボタンを半押しされた場合には、通常より高輝度で動作させることにより、撮影時の視認性の良さを確保しながら、消費電力の低減／バッテリ持続時間の向上を実現している。
【発明の概要】
【発明が解決しようとする課題】
【０００６】
しかしながら上記に示されるような従来のＭＦＰでは、プレビューで確認する内容や状況が多岐に渡るため、確認内容などに応じて視認性を確保しつつ、消費電力を効率的に削減することが求められる。このため、たとえば、消費電力の削減を優先するあまり、視認性の確保が充分でない結果、誤ったコピー操作が行われてしまうことにもなりかねないという問題点があった。
【０００７】
本発明は上記に鑑みてなされたものであって、プレビューで確認する内容に応じて操作表示部の表示方法を切り替えることにより、視認性の確保と消費電力の削減を両立させた画像処理装置、画像処理方法、およびプログラムを提供することを目的とする。
【課題を解決するための手段】
【０００８】
本発明は、画像出力前に出力画像の状態を示すプレビュー画像を生成するための所定の画像処理を指定する画像処理指定手段と、前記画像処理指定手段により指定された画像処理にしたがってプレビュー画像を生成するプレビュー画像生成手段と、前記プレビュー画像生成手段で生成されたプレビュー画像を表示するプレビュー画像表示手段と、前記プレビュー画像を表示する際に、前記画像処理の内容に応じて、省電力時の表示状態に対して視認性を向上させた表示モードに切り替える表示モード切替制御手段と、を備えることを特徴とする。
【発明の効果】
【０００９】
本発明によれば、プレビュー操作でユーザーが確認する処理内容に応じて、プレビュー画像の表示方法を切り替えているので、ユーザーの視認性や判読性を損なうことなく消費電力が削減され、ランニングコストが低減されるという効果を奏する。
【図面の簡単な説明】
【００１０】
【図１】図１は、この実施の形態にかかる画像処理装置の機能構成を示すブロック図である。
【図２】図２は、この実施の形態にかかる画像形成装置（ＭＦＰ）の全体構成を示すブロック図である。
【図３】図３は、図２における表示部の構成を示すブロック図である。
【図４】図４は、図２における操作部の構成を示す説明図である。
【図５】図５は、図２における画像処理部の構成を示すブロック図である。
【図６】図６は、図２における編集処理部の構成を示すブロック図である。
【図７】図７は、この実施の形態にかかるＭＦＰのコピー動作を示すフローチャートである。
【図８】図８は、この実施の形態にかかるプレビュー用画像の生成動作を示すフローチャートである。
【図９】図９は、この実施の形態の表示モードを制御する制御部の構成例を示すブロック図である。
【図１０】図１０は、管理部により作成され、管理コードデータ記憶部に記憶されている管理コードデータの一例を示す図表である。
【図１１】図１１は、登録部に登録されているデータの一例を示す図表である。
【図１２】図１２は、指定前（Ｂｅｆｏｒｅ）と指定後（Ａｆｔｅｒ）のプレビュー表示例を示す説明図である。
【図１３】図１３は、図１２における指定前（Ｂｅｆｏｒｅ）の管理コードデータを示す図表である。
【図１４】図１４は、図１２における指定後（Ａｆｔｅｒ）の管理コードデータを示す図表である。
【図１５】図１５は、指定前（Ｂｅｆｏｒｅ）と指定後（Ａｆｔｅｒ）のプレビュー表示例７０２を示す説明図である。
【図１６】図１６は、図１５における指定前（Ｂｅｆｏｒｅ）の管理コードデータを示す図表である。
【図１７】図１７は、図１５における指定後（Ａｆｔｅｒ）の管理コードデータを示す図表である。
【図１８】図１８は、指定前（Ｂｅｆｏｒｅ）と指定後（Ａｆｔｅｒ）のプレビュー表示例を示す説明図である。
【図１９】図１９は、図１８における指定前（Ｂｅｆｏｒｅ）の管理コードデータを示す図表である。
【図２０】図２０は、図１８における指定後（Ａｆｔｅｒ）の管理コードデータを示す図表である。
【図２１】図２１は、第２の実施の形態にかかるプレビュー画像の表示例を示す説明図である。
【図２２】図２２は、第３の実施の形態にかかるプレビュー画像の表示例を示す説明図である。
【図２３】図２３は、第４の実施の形態にかかるプレビュー画像の表示例を示す説明図である。
【発明を実施するための形態】
【００１１】
以下、発明の実施の形態について図面により詳細に説明する。本発明は、ＭＦＰの出力内容を事前に確認するために、表示装置にプレビュー画像を表示するに際して、ユーザーがプレビューで確認したい処理内容、すなわち、画質調整（濃度、鮮鋭性、色味等）、編集加工（とじしろ、集約等）、後処理（ステープル位置、パンチ穴位置等）に応じて、表示装置の表示方法（輝度等）を切り替えることにより、ユーザーの視認性や判読性を損なうことなく消費電力を削減するものである。以下、本発明を具現化する構成・動作について各実施の形態で説明する。
【００１２】
（第１の実施の形態）
図１は、この実施の形態にかかる画像処理装置の機能構成を示すブロック図である。図１において、画像処理指定部１０、プレビュー画像生成部１１、プレビュー画像表示部１５、表示モード切替制御２０を主に備える。画像処理指定部１０は、操作部などの入力手段を介して原稿画像に対して所定の画像処理を指定する。プレビュー画像生成部１１は、画像処理指定部１０で指定されたプレビュー画像を生成する。プレビュー画像表示部１５は、プレビュー画像生成部１１により所定の画像処理が施された原稿画像のプレビュー画像を表示する。表示モード切替制御２０は、プレビュー画像を表示する際に、画像処理の内容に応じて、省電力の表示モードを視認性向上の表示モードに切り替える。
【００１３】
また、プレビュー画像生成部１１は、画像処理部１２、編集処理部１３を有する。表示モード切替制御２０は、管理部２１、登録部２２、判定部２３を有する。また、表示モード切替制御２０は、それぞれ異なる第１、第２のプレビュー画像を並べて表示する際に、第１、第２の画像処理のうち、異なる画像処理の内容に応じて、省電力の表示モードを視認性向上の表示モードに切り替える機能を有する。
【００１４】
また、管理部２１は、指定された画像処理の内容を管理する。登録部２２は、視認性向上の表示モードで表示する画像処理の内容を登録する。判定部２３は、指定された画像処理の内容が、登録部２２に登録された画像処理の内容であるか否かを判定する。
【００１５】
また、管理部２１は、指定された複数の画像処理の内容からなる第１の画像処理と、指定された複数の画像処理の内容からなる第２の画像処理とを管理する。そして、判定部２３は、第１の画像処理と第２の画像処理とを比較して異なる画像処理の内容を抽出し、前記異なる画像処理の内容が登録部２２に登録された画像処理の内容であるか否かを判定する。以下、これらの機能ブロックの具体的な画像形成装置および関連する各構成・動作について説明する。
【００１６】
図２は、この実施の形態にかかる画像形成装置（ＭＦＰ）の全体構成を示すブロック図である。ＭＦＰは、図２に示すように、読み取り装置１０１、書き込み装置１０７、ＣＰＵ１０３、メモリ１０４、画像処理部１０２、編集処理部１０６、ネットワークインターフェース部１０９、モデム部１１２、操作部１１４、表示部１１５、後処理部１０８、を備えている。
【００１７】
読み取り装置１０１は原稿を読み取り、電子化した画像データを得る。書き込み装置１０７は転写紙に画像データを印字する。ＣＰＵ１０３はＭＦＰ各部を制御する。メモリ１０４はＣＰＵ１０３を介してバス経由で画像データを一時的に記憶する。記憶装置１０５は画像データや各種書誌情報を蓄積する。画像処理部１０２はメモリ１０４や記憶装置１０５の画像データに対して画像処理を行う。編集処理部１０６は編集処理を行う。ネットワークインターフェース部１０９は他のＭＦＰ１１０やパーソナルコンピュータ（ＰＣ）１１１等の外部装置とネットワーク回線を介して画像データを送受信する。モデム部１１２はＦＡＸ（ファクシミリ装置）１１３などの外部装置と電話回線を介して画像データを送受信する。操作部１１４はユーザーによる所定の入力操作を行うための各種キーなどが配置されている。表示部１１５は画像データのプレビュー表示や操作部１１４から設定した設定情報を表示する。後処理部１０８は書き込み装置１０７で印字した転写紙に対してパンチ穴を開け、ステープル留めなどの用紙後処理を行う。
【００１８】
図３は、図２における表示部１１５の構成を示すブロック図であり、表示部１１５に液晶モジュールを使用する。液晶モジュールは、表示データを表示する液晶パネル１２０と、液晶パネル１２０を裏から照らすバックライト１２１と、その駆動回路１２２から構成され、ＣＰＵ１０３が駆動回路１２２を介して、液晶パネル１２０に画像データや設定情報を表示させるとともに、そのコントラストや輝度の制御や調整が可能である。
【００１９】
本例では表示部１１５としてたとえば、一般的な、８．４型カラーＴＦＴ液晶でＬＥＤバックライトのものを使用する。表示部１１５の消費電力は、液晶パネル１２０を駆動するための電力に比べてバックライト１２１でより多く消費される。また、バックライト１２１を制御することにより、液晶が表示する最大輝度と最小輝度の比、すなわち、コントラスト比が変化する。バックライト１２１の明るさを暗くすると、消費電力が低下するが、コントラスト比が小さくなり、白黒の表示が不明瞭になるだけでなく、カラー表示の色純度が低下する。また、バックライトを明るくすると、消費電力が増加するが、コントラスト比が大きくなり、白黒の表示が鮮明になるとともに、カラー表示の色純度が高くなり、視認性が向上する。また、バックライト１２１は駆動回路１２２を介して液晶パネル１２０上の任意の領域の輝度を制御することができる。
【００２０】
図４は、図２における操作部１１４の構成を示す説明図である。この操作部１１４にはユーザーにより入力可能な各種キー（ボタン）が入力可能になっている。図４に示すように、操作部１１４には、画質調整キー１３１、機能選択キー１３２、編集設定キー１３３、カラーモード選択キー１４３、集約配置選択キー１３５、画質モードキー１３６、とじしろ配置変更キー１３７、スタンプ付加キー１３８、後処理設定キー１４０、ステープル位置変更キー１４０、パンチ穴位置変更キー１４１、プレビューキー１４２、スタートキー１４３が配置されている。
【００２１】
ユーザーは、アプリケーションに関する指定項目（コピー／スキャナ／ＦＡＸ等）を機能選択キー１３２の操作によって、ＭＦＰの機能（動作アプリケーション）を選択することができる。同様に、カラーモードに関する指定項目をカラーモード選択キー１４３で操作することによって、カラーコピー／モノクロコピーといったアプリケーションのカラーに関するモードを選択することができる。また、画質モードキー１３６により画質モードに関する指定項目を操作することによって、出力時の画質仕上がりに関するモードを選択することができる。また、画質調整キー１３１により画質調整に関する指定項目を操作することによって、出力画像に対する濃度、シャープ／ソフト、コントラストといった仕上がり感や、シアンをグリーンよりにする等の色味感を調整することができる。また、編集設定キー１３３により編集設定に関する指定項目を操作することによって、出力画像に対する編集処理を指定することができる。たとえば、集約配置選択キー１３５の操作による集約設定、とじしろ配置変更キー１３７によるとじしろの付加といった編集処理を指定することができる。また、後処理設定キー１４０により後処理設定に関する指定項目を操作することによって、画像形成後に出力される用紙に対して、ステープルやパンチ穴、スタンプといった後処理を指定することができる。
【００２２】
図５は、図２における画像処理部１０２の構成を示すブロック図である。フィルタ処理部２００は、ユーザーからの指定に従い画像データに対する空間周波数の補正処理を行う。例えば、文字モードにおける、文字をハッキリさせる画質モード指定や、図４のシャープ指定に従い鮮鋭化処理を施し、写真モードにおける、滑らかさの画質モード指定や図４のソフト指定に従い平滑化処理を行う。
【００２３】
色補正処理部２０１は、ユーザーからの指定に従い色に関する補正処理を行う。たとえば、書込み装置１０７へカラー出力する場合は、読取り装置１０１のＲＧＢ（Ｒ：レッド、Ｇ：グリーン、Ｂ：ブルー）データをＣＭＹＫ（Ｃ：シアン、Ｍ：マゼンタ、Ｙ：イエロー、Ｋ：ブラック）画像データに変換する。また、ＰＣ１１１に出力する場合は、デバイスＲＧＢを標準ＲＧＢ（ｓＲＧＢ）に変換する。その他、図４の色味に関する指定に従って、ＲＧＢ→ＣＭＹＫへの色変換や、デバイスＲＧＢ→標準ＲＧＢへの色変換時の色調を調整する。
【００２４】
ガンマ補正処理部２０２は、図４における濃度やコントラストの指定に従い、出力画像の明るさに対する調整を行う。変倍処理部２０３は、ユーザーからの指定（拡大／縮小や解像度指定）に従って、画素密度の変換処理を行う。階調処理部２０４は、ユーザーからの指定と出力先に応じて階調数の変換処理を行う。たとえば、文字モードのコピー出力が指定された場合は、誤差拡散法により解像度に優れた階調変換処理を行い、写真モードのコピー出力が指定された場合は、ディザ法による滑らかさに優れた階調変換処理を行う。
【００２５】
図６は、図２における編集処理部１０６の構成を示すブロック図である。領域削除部３００は、画像データの４辺方向の任意の領域を削除し、領域拡張部３０１は画像データの４辺方向の任意の領域を拡張する。すなわち、画像データを上下左右にシフトさせることが可能になる。編集処理部１０６は、ユーザーから図４のとじしろの付加が設定された場合に動作する。
【００２６】
次に、上述したように構成されたＭＦＰにおけるコピー動作を説明する。図７は、この実施の形態にかかるＭＦＰのコピー動作を示すフローチャートである。この動作は図２に示すＣＰＵ１０３が統括的に実行するものである。図７において、まず、図４に示す操作１１４においてユーザーにより、コピー機能（アプリケーション）が選択され、スタートボタン１４３が押されると、この操作を受け付け、読取り装置１０１は原稿をスキャンし、原稿の読み取りを行う（ステップＳ１０１）。続いて、読取り装置１０１のスキャン走査によって読み取った原稿画像に対応するＲＧＢの画像データをメモリ１０４に送信する（ステップＳ１０２）。さらに、このＲＧＢの画像データは画像処理部１０２に送信され（ステップＳ１０３）、図４の各種設定に従って画像処理が実施されると共に書込み装置１０７に合わせた画像処理が実施される（ステップＳ１０４）。カラーコピーを行う場合は、書込み装置１０７のＣＭＹＫトナーを使った電子写真プロセスに合わせるため、画像データはＲＧＢ→ＣＭＹＫ変換と階調処理が実施され、再度メモリ１０４に送信される（ステップＳ１０５）。
【００２７】
続いて、図４の操作部１１４によりとじしろの付加が設定されているか否かを判断する（ステップＳ１０６）。ここで、とじしろの付加が設定されていた場合（判断Ｙｅｓ）は、ＣＭＹＫの画像データは編集処理部１０６に送信され、とじしろが付加される分の画像がシフト処理された後、再度メモリ１０４に送信される（ステップＳ１０７）。
【００２８】
続いて、図４の操作部１１４によりタンプの付加が設定されているか否かを判断する（ステップＳ１０８）。ここで、スタンプの付加が設定されていた場合は、ＣＰＵ１０３はメモリ１０４のＣＭＹＫ画像データにスタンプ画像を描画する（ステップＳ１０９）。
【００２９】
次いで、メモリ１０４のＣＭＹＫ画像データは書込み装置１０７に送信され、書込み装置１０７は電子写真プロセスによって転写紙上に画像を形成し出力する。転写紙は後処理部１０８に送られ、図３の指定に従ってステープルやパンチ穴等の後加工が実施される（ステップＳ１１０）。
【００３０】
同様に、読取り装置１０１によりスキャンした文書のＲＧＢデータを、画像処理部１０２が標準ＲＧＢ（ｓＲＧＢ）に変換して、ネットワークインターフェース部１０９を介して出力することにより電子化された文書が送信され、スキャナ機能の動作となる。
【００３１】
次に、ＭＦＰのコピー動作時において、プレビュー画像を確認する動作を説明する。図８は、この実施の形態にかかるプレビュー用画像の生成動作を示すフローチャートである。まず、図４の操作部１１４のプレビューキー１４２が押下されてプレビューが指定されたか否かを判断する（ステップＳ１１１）。ここでプレビューが指定された場合（判断Ｙｅｓ）、読取り装置１０１から送信され、メモリ１０４に蓄積されたＲＧＢの画像データを読み込む（ステップＳ１１２）。そして、この読み込んだ画像データから、画像処理部１０２はプレビュー用の画像を生成する（ステップＳ１１３）。このとき、画像処理部１０２は、プレビュー画像として、操作部１１４を介して受付けられる下記の画質調整、解像度変換、とじしろの付加、スタンプの付加、用紙後処理における疑似画像の生成といった画像処理を行う。
【００３２】
ＲＧＢ画像データは、メモリ１０４から画像処理部１０２に送られ、図４の操作部１１４により指示された画質調整に関する処理を行うと共に、プレビュー用として画素密度変換されたＲＧＢ画像データが再度、メモリ１０４に送信される。本例では、読み取り密度が６００ｄｐｉ（ｄｏｔ  ｐｅｒ  ｉｎｃｈ）の画像を、１５０ｄｐｉのプレビュー画像に変換する。
【００３３】
図４の操作部１１４により、とじしろの付加が設定されていた場合は、ＲＧＢ画像データは編集処理部１０６に送信されシフト処理された後、再度メモリ１０４に送信される。
【００３４】
また、図４の操作部１１４により、スタンプの付加が設定されたいた場合は、ＣＰＵ１０３は、メモリ１０４のＲＧＢ画像データにスタンプ画像を描画し、図４の操作部１１４により、ステープルやパンチ穴等が指定されていた場合は、ＣＰＵ１０３は、メモリ１０４のＲＧＢ画像データに、ステープルやパンチ穴の処理位置が分かるような疑似画像を描画する。
【００３５】
以上の処理により、ＲＧＢのプレビュー画像データがメモリ１０４に生成される。また、ＣＰＵ１０３は、生成したプレビュー画像データに対して操作部１１４により指定された各種情報を管理するコードデータを、プレビュー画像データと共にメモリ１０４に保存する。
【００３６】
図９は、この実施の形態の表示モードを制御する制御部４００の構成例を示すブロック図である。図９において、符号４００は制御部、符号４０１は管理部、符号４０２は管理コードデータ記憶部、符号４０３は表示モード判定部、符号４０４は登録部である。管理部４０１、表示モード判定部４０３はＣＰＵ１０３により実施される処理部であり、管理コードデータ記憶部４０２、登録部４０４は、メモリ１０４または記憶装置１０５に設定される格納領域である。
【００３７】
図１０は、管理部４０１により作成され、管理コードデータ記憶部４０２に記憶されている管理コードデータの一例を示す図表である。図１０に示す管理コードデータ５０１は、アプリケーションがコピー機能であり、カラーモードがモノクロであり、画質モードが文字であり、画質調整がデフォルト（標準設定）であり、編集設定、後処理設定が無いことを、図４の操作部１１４により指示したことを表している。
【００３８】
図１１は、登録部４０４に登録されているデータの一例を示す図表である。表示モードである視認性向上モードの対象となる、操作部１１４の指定内容（管理コードデータ）が登録されている。たとえば、画質調整の設定に対しては、表示部１１５の輝度を明るくする視認性向上モードが設定されている。登録部４０４に登録されていない操作部１１４の指定内容は、プレビュー時に、通常の輝度である省電力モードで表示される。なお、登録部４０４に登録される指定内容は、操作部１１４からの指示により書き換えることができる。
【００３９】
表示モード判定部４０３は、プレビュー画像データと共に送信されてくる管理コードデータ５０１を用いて登録部４０４を参照し、管理コードデータ５０１が登録内容６０１と一致したとき、表示モードが視認性向上モードであると判定され、プレビュー画像データが表示部１１５に送信され、プレビュー画像として表示される。このとき、視認性向上モードに応じて、図３の駆動回路１２２を制御することにより、プレビュー時の輝度やコントラストを明るくなるように切り替える。
【００４０】
また、管理コードデータ５０１が登録内容６０１と一致しないときは、プレビュー画像は、輝度を低減した通常状態の省電力モードで表示される。
【００４１】
プレビュー画像で確認したい処理内容を基に、ユーザーのプレビュー時の視認性が必要になった場合のみ、表示部１１５の輝度を明るくする。これにより、ユーザーの視認性が向上し、プレビュー時の誤認識を防止することができ、間違いコピーが防止できるため、ユーザーのランニングコストを著しく改善することができる。また、通常状態の表示輝度を低減させることが可能になり、消費電力を抑制できる。
【００４２】
次に、プレビュー画像の具体例をあげて説明する。読取り装置１０１から送られてメモリ１０４に蓄積されたＲＧＢ画像データを基に、プレビュー用の画像生成を２回繰り返すことにより、図４の操作部１１４による指定前と指定後の両方を並べてプレビュー画像で確認することができる。
【００４３】
図１２は、指定前（Ｂｅｆｏｒｅ）と指定後（Ａｆｔｅｒ）のプレビュー表示例７０１を示す説明図である。図１３は、図１２における指定前（Ｂｅｆｏｒｅ）の管理コードデータ５０２を示す図表であり、図１４は、図１２における指定後（Ａｆｔｅｒ）の管理コードデータ５０３を示す図表である。
【００４４】
表示モード判定部４０３は、指定前（Ｂｅｆｏｒｅ）のプレビュー画像データの管理コードデータ５０２と、指定後（Ａｆｔｅｒ）のプレビュー画像データの管理コードデータ５０３を比較し、比較の結果、その差異が後処理設定のみであると判定する。ここで、管理コードデータ５０３には、パンチ穴の位置の確認（画像と重なってないか？）などのために後処理が設定されている。
【００４５】
表示モード判定部４０３は、後処理設定が登録部４０４に登録されているか否かを照合し、この例では後処理設定が登録されていないので、通常の輝度（省電力モード）でプレビュー画像を表示する。
【００４６】
図１５は、指定前（Ｂｅｆｏｒｅ）と指定後（Ａｆｔｅｒ）のプレビュー表示例７０２を示す説明図である。図１６は、図１５における指定前（Ｂｅｆｏｒｅ）の管理コードデータ５０４を示す図表であり、図１７は、図１５における指定後（Ａｆｔｅｒ）の管理コードデータ５０５を示す図表である。
【００４７】
表示モード判定部４０３は、指定前（Ｂｅｆｏｒｅ）のプレビュー画像データの管理コードデータ５０４と、指定後（Ａｆｔｅｒ）のプレビュー画像データの管理コードデータ５０５を比較し、比較の結果、その差異が画質調整であると判定する。
【００４８】
表示モード判定部４０３は、画質調整が登録部４０４に登録されているか否かを照合し、この例では画質調整が登録されているので、表示部１１５に対して視認性向上モードが指示され、白黒の表示が鮮明で、カラー表示の色純度が高くなるように表示モードを切り替えて、輝度を向上させて表示する。これにより、ユーザーの視認性が向上され、プレビュー時の誤認識が防止される。なお、プレビュー確認が終了後に、再び通常の輝度に戻る。
【００４９】
図１８は、指定前（Ｂｅｆｏｒｅ）と指定後（Ａｆｔｅｒ）のプレビュー表示例７０３を示す説明図である。図１９は、図１８における指定前（Ｂｅｆｏｒｅ）の管理コードデータ５０６を示す図表であり、図２０は、図１８における指定後（Ａｆｔｅｒ）の管理コードデータ５０７を示す図表である。
【００５０】
表示モード判定部４０３は、指定前（Ｂｅｆｏｒｅ）のプレビュー画像データの管理コードデータ５０６と、指定後（Ａｆｔｅｒ）のプレビュー画像データの管理コードデータ５０７を比較し、比較の結果、その差異が編集設定と後処理であると判定する。
【００５１】
表示モード判定部４０３は、編集設定と後処理が登録部５０４に登録されているか否かを照合する。この例では編集設定と後処理が登録されているので、表示部１１５に対して視認性向上モードが指示され、指定後（Ａｆｔｅｒ）のプレビュー画像データ中の、編集設定（パンチ穴）と後処理（「ＣＯＰＹ」のスタンプ）が施されたエリアのみ輝度を向上させて表示する。
【００５２】
このように、指定前と指定後の両方を並べてプレビュー画像で確認する際に、図４の操作部１１４による指定内容に変化があった領域のみ、表示部１１５を制御して通常の輝度より明るく表示させる。これにより、ユーザーがプレビューで確認したい領域のみ視認性を向上させることができ、プレビュー時の誤認識を防止すると共に、表示部１１４における消費電力を削減することができる。
【００５３】
（第２の実施の形態）
この実施の形態では、図４の操作部１１４の機能選択キー１３２により文書蓄積機能が選択された場合について説明する。
【００５４】
図４の操作部１１４の機能選択キー１３２において、コピーと、文書蓄積ボタンが選択され、スタートボタン１４３が押されると、読取り装置１０１は原稿をスキャンし、ＲＧＢの画像データをメモリ１０４に送信する。次いで、ＲＧＢの画像データは画像処理部１０２に送信され、図４の各種設定に従った画像処理と共に書込み装置１０７に合わせた画像処理が実施される。
【００５５】
カラーコピーを行う場合は、書込み装置１０７のＣＭＹＫトナーを使った電子写真プロセスに合わせるため、画像データはＲＧＢ→ＣＭＹＫ変換と階調処理が実施され、再度メモリ１０４に送信される。
【００５６】
図４の操作部１１４において、とじしろの付加が設定されていた場合は、ＣＭＹＫの画像データは編集処理部１０６に送信され、シフト処理された後、再度メモリ１０４に送信される。また、スタンの付加が設定されていた場合は、ＣＰＵ１０３はメモリ１０４のＣＭＹＫ画像データにスタンプ画像を描画する。メモリ１０４のＣＭＹＫ画像データは、記憶装置１０５に送信され、蓄積される。
【００５７】
上記したように、最初にメモリ１０４に蓄積されたＲＧＢの画像データからプレビュー画像を生成し、記憶装置１０５に蓄積される。ＣＰＵ１０３は、記憶装置１０５に蓄積されたコピー出力用のＣＭＹＫ画像データとそのプレビュー用のＲＧＢ画像データと、操作部１１４により指定された各種モード情報、別途指定された蓄積文書登録名と共に、蓄積文書として管理する。
【００５８】
ユーザーが蓄積された文書を確認する場合は、図２１（ａ）に示すように、表示部１１５に蓄積された文書がリスト表示される。ユーザーがその内容を更に確認する場合は、表示された文書リストから確認したい文書を選択し、プレビュー表示して確認する。このとき、表示モード判定部４０３は、蓄積した文書ファイルの管理コードデータが登録部４０４に登録されているか否かを参照することにより、表示部１１５を制御し、表示するときの輝度を切り替える。
【００５９】
図２１（ｂ）に示すように、赤色コピーなど単色（モノクロを含む）モードの蓄積文書である場合は、通常の輝度（省電力モード）でプレビュー画像を表示する。
【００６０】
また、図２１（ｃ）に示すように、フルカラーモードの蓄積文書である場合は、輝度を明るくした視認性向上モードでプレビュー画像を表示する。
【００６１】
したがって、この実施の形態によれば、ユーザーがＭＦＰに蓄積された文書をプレビュー確認する場合に、ユーザーが文書蓄積時に指定した処理モードの内容を基に視認性を判断して表示することにより、表示輝度を低減して消費電力を抑えつつ、プレビュー時の誤認識を防止することが可能となる。これにより、間違いコピーが防止できるため、ユーザーのランニングコストを著しく改善することができる。
【００６２】
（第３の実施の形態）
この実施の形態では、プレビュー画像を拡大／縮小、移動させながら内容を確認する場合の例について説明する。
【００６３】
表示部１１５にプレビュー画像を表示させた後、ユーザーはプレビュー画像を更に詳細に確認したい場合は、プレビュー画像を拡大／縮小、移動させながら内容を確認する。
【００６４】
図２２は、この実施の形態にかかる表示例を示す説明図である。表示モード判定部４０３は、最初のプレビュー確認時には、通常の輝度（省電力モード）で表示し、ユーザーによりプレビュー画像の更なる確認のための操作（拡大／縮小、移動）が指定された場合に、視認性向上モードに切り替えて、通常の輝度より明るく表示させる。
【００６５】
したがって、この実施の形態によれば、ユーザーがプレビュー画像を確認する場合に、更に詳細な内容確認が指定された場合に、視認性を向上させて表示することにより、表示輝度を低減して消費電力を抑えつつ、プレビュー時の誤認識を防止することが可能となる。
【００６６】
（第４の実施の形態）
この第４の実施の形態では、読み取った原稿の画像データに対して、ＯＣＲ（ｏｐｔｉｃａｌ  ｃｈａｒａｃｔｅｒ  ｒｅａｄｅｒ）処理を行う場合の例について説明する。
【００６７】
図４の操作部１１４の機能選択キー１３２により、コピーと、文書蓄積ボタンが選択され、スタートボタン１４３が押されると、読取り装置１０１は原稿をスキャンし、ＲＧＢの画像データをメモリ１０４に送信する。次いで、ＣＰＵ１０３は、メモリ１０４のＲＧＢ画像データに対してＯＣＲ処理を実行し、ＯＣＲの処理結果は、蓄積文書の付属情報として記憶装置１０５の管理コードデータ記憶部４０２に保存される。
【００６８】
ユーザーが蓄積された文書を確認する場合は、第２の実施の形態と同様に、表示部１１５に蓄積された文書がリスト表示され、そのとき、ＯＣＲの結果も同時に表示するか否かを、ユーザーは図４の操作部１１４において選択する（図２３（ａ）参照）。
【００６９】
表示モード判定部４０３は、選択されたフルカラーモードの蓄積文書である場合でも、ＯＣＲの結果を同時に表示する場合、省電力モードと判定して、プレビュー画像を通常の輝度（省電力モード）で表示する（図２３（ｃ）参照）。ＯＣＲの結果が表示される場合は、ユーザーは画像情報だけでなく、文字情報も同時に確認できるため、文書内容の認識が容易である。フルカラーモードの蓄積文書を表示する場合は、実施例２と同様に、視認性向上モードでプレビュー画像を表示する（図２３（ｂ）参照）。
【００７０】
したがって、この実施の形態によれば、ユーザーがＭＦＰに蓄積された文書をプレビューで確認する際に、ユーザーがＯＣＲの結果から蓄積文書の内容を把握できる場合は、通常の輝度のまま表示することにより、表示輝度を低減して消費電力を削減することができ、ユーザーのランニングコストを著しく改善することができる。
【００７１】
（第５の実施の形態）
この第５の実施の形態では、セキュリティ文書を読み取る場合の例について説明する。図４の操作部１１４の機能選択キー１３２により、コピーと、文書蓄積ボタンを選択する際に、ユーザーは別途セキュリティ文書であるか否かを図示しないボタンなどにより設定する。その後、スタートボタン１４３を押すと、読取り装置１０１は原稿をスキャンし、前述した記憶装置１０５の管理コードデータ記憶部４０２に、コピー出力用のＣＭＹＫ画像データと、プレビュー用のＲＧＢ画像データと、各種モード情報を記憶・管理する際に、セキュリティ文書であるか否かの情報も同時に記憶・管理する。
【００７２】
ユーザーが蓄積された文書を確認する際に、表示モード判定部４０３は、選択された文書がセキュリティ文書である場合は、通常の輝度（省電力モード）でプレビュー画像を表示する。あるいは通常の輝度より更に低い輝度で表示しても良い。
【００７３】
したがって、この実施の形態によれば、ユーザーがＭＦＰに蓄積された文書をプレビューで確認する際に、蓄積文書がセキュリティ文書である場合は、プレビュー時の視認性や認識性を向上させずに、通常の輝度で表示する。これにより、表示部１１５をユーザー以外の他人から覗き込まれた場合にも、情報の漏洩防止が可能となり、ユーザーのセキュリティ性能を著しく改善することができる。
【００７４】
ところで、液晶を用いた表示装置の電力は、液晶駆動に比べてバックライト光源でより多く消費される。また、バックライトを制御することにより、液晶が表示する最大輝度と最小輝度の比（コントラスト比）が変化する。コントラスト比が小さくなると、白黒の表示が不明瞭になるだけでなく、カラー表示の色純度が低下し、プレビュー動作時のユーザーの視認性や判読性が悪化する。
【００７５】
このため、上述した実施の形態では、ユーザーがプレビュー動作で確認したい処理内容が、編集（とじしろ、集約等）や後処理（ステープル位置、パンチ穴位置等）である場合、プレビュー画面上での白黒の鮮鋭性や色味に関する忠実度は重要ではなく、これらが多少劣っていても、ユーザーが視認できるため、低コントラスト、すなわち、バックライトの輝度を低下させた状態である通常の動作状態でも、ユーザーの視認性や判読性を損なうことなく、操作表示部の消費電力を削減することが可能になる。
【００７６】
また、ユーザーがプレビュー動作で確認したい内容が、画質調整（濃度、鮮鋭性、色味等）である場合、プレビュー画面上での白黒の鮮鋭性や色味に関する忠実度は重要であるため、高コントラスト、すなわち、バックライトの輝度を上げる。これにより、ユーザーの視認性が向上する。
【００７７】
本実施の形態で実行されるプログラムは、メモリ１０４、あるいは記憶装置１０５に予め組み込まれて提供するものとしているが、これに限定されるものではない。本実施の形態で実行されるプログラムを、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録してコンピュータプログラムプロダクトとして提供してもよい。
【００７８】
また、本実施の形態で実行されるプログラムを、インターネット等のネットワークに接続されたコンピュータ上に格納し、ネットワーク経由でダウンロードさせることにより提供するように構成しても良い。また、本実施の形態で実行されるプログラムをインターネット等のネットワーク経由で提供または配布するように構成しても良い。
【００７９】
本実施の形態で実行されるプログラムは、上述した各部（画像処理指定部１０、プレビュー画像生成部１１、画像処理部１２、編集処理部１３、プレビュー画像表示部１５、表示モード切替制御部２０、管理部２１、登録部２２、判定部２３）を含むモジュール構成となっており、実際のハードウェアとしてはＣＰＵ１０３（プロセッサ）が上記記録媒体からプログラムを読み出して実行することにより上記各部がＲＡＭ等の主記憶装置上にロードされ、画像処理指定部１０、プレビュー画像生成部１１、画像処理部１２、編集処理部１３、プレビュー画像表示部１５、表示モード切替制御部２０、管理部２１、登録部２２、判定部２３の各部が主記憶装置上に生成されるようになっている。
【符号の説明】
【００８０】
１０１  読取り装置
１０２  画像処理部
１０３  ＣＰＵ
１０４  メモリ
１０５  記憶装置
１０６  編集処理部
１０７  書き込み装置
１０８  後処理部
１０９  ネットワークインターフェース部
１１０  ＭＦＰ
１１１  ＰＣ
１１２  モデム部
１１３  ＦＡＸ
１１４  操作部
１１５  表示部
【先行技術文献】
【特許文献】
【００８１】
【特許文献１】特開２００７−１６６５１５号公報
【図１】
0005803344.tif 000002
【図２】
0005803344.tif 000003
【図３】
0005803344.tif 000004
【図４】
0005803344.tif 000005
【図５】
0005803344.tif 000006
【図６】
0005803344.tif 000007
【図７】
0005803344.tif 000008
【図８】
0005803344.tif 000009
【図９】
0005803344.tif 000010
【図１０】
0005803344.tif 000011
【図１１】
0005803344.tif 000012
【図１２】
0005803344.tif 000013
【図１３】
0005803344.tif 000014
【図１４】
0005803344.tif 000015
【図１５】
0005803344.tif 000016
【図１６】
0005803344.tif 000017
【図１７】
0005803344.tif 000018
【図１８】
0005803344.tif 000019
【図１９】
0005803344.tif 000020
【図２０】
0005803344.tif 000021
【図２１】
0005803344.tif 000022
【図２２】
0005803344.tif 000023
【図２３】
0005803344.tif 000024